(57)【特許請求の範囲】
【請求項１】
おむつ、パンツおむつ、衛生ブリーフ、失禁用衣料又は他の弾性パンツの如き弾性パンツ型物品に使用する基部素材を弾性化する方法であって、前記基部素材は縦方向にその両端で二つの幅広のウエスト部分を有し且つそれらウエスト部分の間で細い股部分を有する弾性化の方法に於て、以下のステップを経て、前記基部素材へ前記基部素材の横方向及び縦方向に弾性特性を有する例えば弾性ネット、フィルム又はエラストマ不織材料の如き本質的に前記基部素材の全長にわたって延出する一体化された弾性材料を付与及び結合することを特徴とする基部素材を弾性化する方法：
ａ）前記二つのウエスト部分（１３）で縦方向にではなく横方向に前記弾性材料（１）を伸張し；
ｂ）前記二つのウエスト部分（１３）の間の前記弾性材料を前記股部分（１４）で横方向ではなく縦方向に伸張し；
ｃ）前記弾性手段をこのように延出した状態で前記基部素材（５）へ結合すること。
【請求項２】
前記弾性材料は伸張され前記基部素材へ結合され、その際、それは依然として弾性ネット、フィルム又はエラストマ不織材料の連続直線状ウェブの一部であり、その後、個々の基部パンツ素材が前記結合されたウェブから切断されることを特徴とする請求の範囲第１項記載の方法による基部素材を弾性化する方法。
【請求項３】
矩形状に配置された四つの個々の可動キャリッジ手段（１５）へ四つの個々の側方縁部片、各側方縁部では二つの片を非伸張状態で取り付け、前記片は非伸張状態で直線状側方縁部を有する前記弾性材料の縦方向のウエスト部域寸法に一致し；前記四つのキャリッジ手段（１５）を互いに相手から離して動かし、一方、前記矩形配置を実質的に保持し；その後、前記弾性材料を前記基部素材へ前記伸張状態で結合するステップを特徴とする請求の範囲第１項記載の方法による基部素材を弾性化する方法。
【請求項４】
前記弾性材料はある量の永久伸びを保持するためにその降伏点を越えて伸張されることを特徴とする請求の範囲第１項ないそ第３項の何れか一項記載の基部素材の弾性化方法。
【請求項５】
請求の範囲第１項、第２項又は第３項によるおむつ又はパンツおむつの基部素材を弾性化する方法であって、着用時に使用者の肛門に面した部分及び尿道口に面した部分で前記弾性材料に開口部を設ける前記方法に於て、延出された弾性材料を基部素材へ結合する前に、前記弾性材料に肛門部域用開口部で単一の縦方向スリットを形成し、尿道口用開口部で弾性材料に単一の縦方向スリットを形成することを特徴とする基部素材の弾性化方法。
【請求項６】
縦方向にその両端で幅広のウエスト部分を有し且つそれらウエスト部分の間で細い股部分を有する、おむつ、失禁用衣料、パンツおむつ、衛生ブリーフ又は他の弾性パンツの如き弾性パンツ型物品に組み立てられるように意図された弾性化された基部素材に於て、縦方向及び横方向の両方向に弾性を有する本質的に前記基部素材の全長にわたって延出する一体化された弾性材料が前記基部素材へ結合され、前記基部素材へ結合された前記弾性材料は前記ウエスト部分（１３）で横方向に伸長され縦方向には伸長されず、前記中間股部分（１４）で縦方向に伸長され横方向には伸長されず、前記弾性材料は中間股部分（１４）の中間点に向かって収縮することを特徴とする弾性化された基部素材。
【請求項７】
前記弾性材料はその縦方向及び横方向に各種弾性モジュールを有することを特徴とする請求の範囲６項記載の弾性化されたき基部素材。
【請求項８】
パンツがその両端で幅広のウエスト部分を有し且つそれらウエスト部分の間で細い股部分を有する弾性化された基部素材から形成されており、前記基部素材は縦方向及び横方向の両方向に弾性を有する本質的に前記基部素材の全長にわたって延出する一体化された弾性材料と、弾性材料が結合された基部素材とを含み、前記弾性材料は前記基部素材へ結合されるが、その際、ウエスト部分は横方向に伸張され実質的に縦方向には伸張されず、股部分は縦方向に伸張され前記股部分では実質的に横方向には伸張されず、使用中、前記パンツはパンツ全体にわたり使用者の肌と及び使用者の尿道口及び肛門と緊密に接触するよう意図されており、吸収性ユニットはパンツの外側に配置されパンツにより持ち上げられることを特徴とする、おむつ、失禁用衣料、パンツおむつ又は衛生ナプキンの如き吸収性物品。
【請求項９】
着用時に使用者の肛門及び尿道口に面する部分の弾性材料に一つ又はそれ以上の開口部を有する弾性化された基部素材から組み立てられる、請求の範囲第８項記載のおむつ、失禁用衣料、パンツおむつ、衛生ブリーフ又は他の弾性パンツの如き弾性パンツ型物品形態の吸収性物品に於て、糞便及び／又は尿の吸収度合が弾性パンツ型物品よりも実質的に小さい吸収性ユニットを有することを特徴とする吸収性物品。
【請求項１０】
パンツ型物品は着用時に使用者の尿道口に面する部分で一つの開口部をまた肛門に面する部分で一つの開口部を備えることを特徴とする請求の範囲第８項又は第９項記載の吸収性物品。
【請求項１１】
吸収性ユニットは二つの別個の部分（一方は尿用でもう一方は糞便用）から成り、前記両部分は弾性パンツ型物品のそれぞれの開口部を包囲するように配置されることを特徴とする請求の範囲第１０項記載の吸収性物品。
【請求項１２】
吸収性ユニットはフラッフ、吸収性発泡体、超吸収性ゲル又はこれらの材料の結合体の如き、吸収性材料を含むことを特徴とする請求の範囲第８項ないし第１１項の何れか一項記載の吸収性物品。
【請求項１３】
吸収性ユニットは尿又は糞便をそれぞれ受け取るためのパンツ型物品の開口部の外側に取り付けられた袋状手段から成ることを特徴とする請求の範囲第８項ないし第１２項の何れか一項記載の吸収性物品。
【請求項１４】
吸収性ユニットは人体排出に応答して膨張可能であることを特徴とする請求の範囲第８項ないし第１３項の何れか一項記載の吸収性物品。
【請求項１５】
吸収性ユニットは袋又はジャケット形態の外方不透液性材料で制限されており、前記不透過性材料は尿及び糞便の排出に関連して通常生じる圧力で伸張可能であることを特徴とする請求の範囲第１４項記載の吸収性物品。
【請求項１６】
パンツ型物品は取り付け手段により開放及び再密封でき、開放延出状態にあるパンツ型物品は本質的に砂時計形状であり細い股部分と幅広のウエスト部分とを有し、取り付け手段はウエスト部分の各側方縁部に配置された取り付け装置であることを特徴とする請求の範囲第８項ないし第１５項の何れか一項記載の吸収性物品。
【請求項１７】
パンツ型物品は一つ又はそれ以上の、適当には繊維布の、支持層から成り、前記支持層上に少なくとも一つの弾性材料が伸張状態で装着され、ウエスト弾性体及び股弾性体の如きパンツ型製品の弾性体を形成することを特徴とする請求の範囲第８項ないし第１６項の何れか一項記載の吸収性物品。
【請求項１８】
前記弾性材料は弾性ネット、弾性フィルム又は弾性不織材料であることを特徴とする請求の範囲第８項ないし第１７項の何れか一項記載の吸収性物品。
【発明の詳細な説明】
本発明は請求の範囲第１項の前文に従い基部素材を弾性化する方法に関する。また本発明は請求の範囲第６項の前文に記載の種類の弾性化された基部素材にも関する。
弾性ネット又はフィルムがおむつ、パンツおむつ、衛生ブリーフ、失禁用衣料の如きパンツ型物品を弾性化するために使用されてきた。例えば、GB-A 2 248 380は弾性糸が脚部分に対応する湾曲区分と直線区分とに交互に配置されるパンツ型使い捨て物品を弾性化する方法を記載している。別個の横方向弾性部分がウエスト区分に配置される。一般にこれは多数のステップを含み故障を起こしやすい非常に複雑な手順である。またこの周知の方法によるとパンツ型物品全体を弾性化し着用者の体に対接させて適正位置にしっかりと保持することもまた不可能である。
WO 93/18729は脚開口を弾性化するために縦方向に、またウエスト部分を弾性化するために横方向に、ネット弾性ストリップを直線状に付与することを記載している。これは上述の方法よりも簡単ではあるが、この直線状脚開口弾性ストリップは着用時に着用者の脚部にうまく一致しない。上記場合の如く、かかる弾性化はストリップの横方向及び縦方向の両方向の配置を必要とし、パンツ型物品全体を弾性化せず端部及び側部縁部分だけを弾性化する。
これらの及び他の問題は添付の請求の範囲第１項の特徴節に詳述される特徴を有する上述の形式の方法により回避される。本発明による方法は弾性ネットを簡単に確実な態様で配置することを可能にし、それにより直線状平行側部を有する弾性ネット又はフィルムウェブの縦方向区分はおむつ又はパンツ基部素材の砂時計形状を自然に取り、またそれへ固着できる。縦方向に伸張された中間股区分は凹状脚開口縁に自然に一致する弾性糸又は弾性化されたフィルム部分を提供する脚開口形態を自然に取り、このようにして漏洩に対する安全性が得られる。また一連のパンツ素材がウェブの端と端とを突き合わせて弾性化されたときウエスト部分は実質的に直線状形態を自然に取る。
本発明の方法の更なる発展によると、各所望の場所に簡単なスリットを形成することにより、おむつ又はパンツおむつの着用時に肛門及び尿道口に直接面する部域で前記ネット又はフィルムの開口を非常に簡単な状態で設けることができる。
これらの及び更なる利点は図面に関する以下の詳細な説明から明らかになろう。図中；
図１はキャリッジ上に装着されたペグへ非引張状態で滑り込ませた縦方向及び側方向の両方向に弾性的なウェブネットを示す。
図２は本発明に従いキャリッジが互いに相手から分離された後の状態の図１に示すウェブネットを示す。
図３は本発明の方法に従い、伸張後にパンツおむつ基部素材ウェブへ結合される図２に示すウェブネットを示す。
図４は本発明による方法の他の変化例により作られたパンツおむつ基部素材を示し、ここで縦方向スリットが基部素材へ結合されるに先立ってネットに形成されている。
図５はパンツおむつ基部素材を示すが、本発明に従い二つの平行な長方形の弾性ネット片が基部素材へ結合されている。
図６は図４に示すものと類似したパンツおむつ基部素材を示し、ここで弾性ネットが基部素材へ結合されている。
図７は図６に記載のネットを有したパンツおむつ基部素材を示し、ここで吸収性ユニットがパンツ基部素材へ取り付けられている。
図８は図６に記載のネットを有したパンツ基部素材を示し、ここで第２実施例の吸収性ユニットがパンツ基部素材へ取り付けられている。
図１は例えばロールから送出された無限長のウェブネットの一部を示し、これは縦方向糸３と横方向糸４との間の編目２で融着されたゴム又は人工樹脂であることができる。この場合、それは縦方向及び横方向の両方向に均一な弾性を有する。他の実施例に於て、縦方向及び横方向に各種弾性を有することは有利である。また織物弾性糸も使用でき、更には無限に小さい開口を有した弾性ネットとして見なすことができる弾性フィルムを使用できる。エラストマ溶融蒸絨(melt-blown)材料の如き、不織材料も使用できる。
図２はウエスト端部分１３で縦方向ではなく横方向に、それらの間の中間股部分１４で横方向ではなく縦方向に伸張された、ウェブネット部分を示す。そうすることにより、本来長方形の弾性ネット片は図に示された砂時計形状を自然に取り、またそれはパンツおむつ基部素材へ容易に結合できる。勿論、ウエスト及び股部分間の移行部分で横方向並びに縦方向の両方向の張力が存在し、股部分の中央部へ接近するにつれて横方向張力は徐々に減少する。
縦方向糸３は脚開口の湾曲切取り形状に追従し、特に横方向糸による結合力と共同して脚部の回りで効果的な緊結密封を提供する。
弾性糸により形成された孔（この場合、四角形孔）の寸法は無関係である。無限に小さい孔である弾性フィルムもまた砂時計形状を取る。
図３は伸張され、パンツおむつ基部素材５へ結合された後の弾性ネットを示す。この結合は多数の各種方法で得ることができ、例えばホットメルト接着剤の如き膠着で、あるいは超音波結合又は熱カレンダによる密封で行うことできる。
図４は結合の前に縦方向に二箇所で切れ目を入れられていること以外は同じであるパンツおむつを示す。それにより二つの孔６及び７は尿及び糞便をそれぞれ収集するために吸収性材料を有したポケットに対応してネットに形成される。かかる吸収性物品は同時係属中の出願書類第9500385-1号及び第9500386-9号で開示されている。かかるスリットはネットが伸張された状態にあるときに幾本かの横方向糸を切断することにより非常に容易に作ることができる。またこれら横方向糸はネットが非伸張状態にあるときに予め切断しておくこともできる。特定の横方向又は縦方向糸は同様に他の目的で、例えばネットの砂時計形状を補強するために切断又は予め切断できる。
図５は他の実施例を示し、ここで二つの平行な長方形の弾性ネット片８、９は本発明の方法に従い伸張されており、この場合ウエスト部分はおむつの凹状腹部縁１０と凸状後部縁１１とに一致するように傾斜している。中央吸収性ポケットを収容できる非弾性の中央部域１２はそのままである。
ネット又はフィルムをウエスト部分に於て縦方向ではなく横方向に伸張しネット又はフィルムを非弾性基部素材（この場合パンツ基部素材を構成しているウェブ）へ取り付けることにより、パンツ型製品が着用されるとき円周方向に作用する弾性張力が存在し、ウエスト部分を束にするような所望されない如何なる垂直張力もそこに存在することなしに、ウエスト部分を使用者の腰部分に対接保持する。ウエスト部分の縦方向寸法は固定されており、それにより例えばおむつが束になったりたるんだりする問題が回避される。
対応する態様で、中間股部分が横方向ではなく縦方向に伸張され、実質的に非弾性の基部素材へ取り付けられるので、組立及び着用時に各脚部の回りで円周方向に張力が生じ、そこで漏洩が生じるのを防ぐ。脚部から離れて位置する中央股区域の縦方向延出糸は吸収性材料を使用者の体に対接させ適正位置に保持するために使用できる。
伸張されたときにある程度の伸張量、即ち永久歪を永久に保有している弾性糸材料を使用することは有利である。
本発明は主に弾性ネットに関して上述されてきたが、先に述べたように、本発明はプラスチックフィルムを使用しても実施できる。このプラスチックフィルムは完成パンツ型製品に各種性能を与えるために様々な特性のものにできる。例えば、フィルムはその元の無負荷状態から破断点までその伸展性の全範囲にわたり弾性的にすることができ、あるいはこの目的に適した多くの薄いフィルムの場合そうであるように、即ちウエスト部分に対して横方向に、中間股部分で縦方向に、一定量延出された後でのみ弾性的になるようにすることができる。または、使用される弾性材料は降伏点まで弾性を有し、その後は弾性を有するが永久的伸長状態に維持される。これは最終製品の最適な弾性と形状とを創造するのに役立つ。
また使用された弾性材料は各種弾性特性を有することもでき、例えば最終製品に於て所望の弾性特性及び形状が得られるように横方向及び縦方向に各種モジュールの弾性を有することができる。
また本発明が使い捨てパンツ型おむつ及び同類物にだけ適用されるのではなく、如何なる形式の弾性パンツにも適用でき、使い捨てのもの及び洗って何度も再使用できるように設計されたものの両方に適用できることは当業技術者には明らかであろう。
図６は図２及び図３に関して記載された弾性ネットの如く伸張された弾性ネットと不織材料のパンツ基部素材とから形成されたパンツ１３を示す。
図７は二つの部分１５及び１６を含む吸収性ユニット１４を示し、ここで第１部分１５はパンツ１３の尿用開口６を覆って配置され、第２部分１６は肛門部域用開口７を覆って配置される。吸収性部分１５はパンツに対して周部で取り付けられた外方不透液性カバー１７を含む。
前記カバー１７の外側の空間にはセルロースフラッフ及び／又は吸収性ゲルの如き吸収性材料を充填することができる。
糞便用吸収性部分１６はパンツに対して周部で取り付けられた外方不透液性カバー１８を含む。カバー１８の内側の空間は好ましくは空であり、なぜならそれは糞便をそのカバーの内側へ保持するよう意図されているからである。
図８に於ける吸収性ユニット１４は尿用開口６及び肛門部域用開口７の両方を覆う。前記吸収性ユニットはカバー１９の内側に吸収性材料を含むことができる。
図７及び８による吸収性物品は改変することができる。重要な事項は、周知の吸収性物品と著しく異なり、それは形成されるパンツがパンツ全体にわたり、また使用者の尿道口及び肛門の近くで、使用者の肌と緊密に接触するパンツが形成されること、及び吸収性ユニットがパンツの外側に配置されパンツにより持ち上げられていることである。
小さな孔６、７を有する弾性パンツが設計できるが、それは小さな孔はパンツの弾性特性により適正位置で保持されまた開放状態を維持されるからである。
糞便又は尿が排泄されると、それらは吸収性ユニットの各ポケット内へとそれぞれの孔を通り抜けて進む。
尿及び糞便収集部分１５、１６はパンツへ前記それぞれの孔を密接包囲する弾性パンツの部分にしっかりと密封状態で取り付けることができる。
前方ポケット、即ち吸収性部分１５は尿で満たされ、またその重みで押し下げられるが、その際、それが使用者と接触している部分から弾性パンツを引っ張ることはない。二つの部分１５及び１６は互いに相手から分離されているので糞便と尿とは混合されず、このことは肌への刺激を防ぐという周知の利点である。
カバー１７及び１８は糞便又は尿で満たされるにつれて膨張することが可能な弾性材料から作ることができる。またカバー１７及び１８はそれらが満たされるにつれて膨張するようにベローズのように折り曲げることもできる。
【図１】
0003720366.tif 000002
【図２】
0003720366.tif 000003
【図３】
0003720366.tif 000004
【図４】
0003720366.tif 000005
【図５】
0003720366.tif 000006
【図６】
0003720366.tif 000007
【図７】
0003720366.tif 000008
【図８】
0003720366.tif 000009